(57)【要約】【目的】  腟内の性感帯と陰核の性感帯とを同時に刺激することが出来るようにして、両者を同時にまた相乗効果的に開発・鍛練し得るような性感帯開発鍛練具を提供する。【構成】  腟内に挿入可能な挿入部と、この挿入部の根元から陰核方向に湾曲する橋絡部と、この橋絡部の先に設けられ陰核に当たる面が柔軟な素材から成る指圧部と、から成る性感帯開発鍛練具とした。なお前記挿入部の内部に、および／または前記指圧部の内部に、バイブレータが設けられているものとすることが出来る。【選択図】      図１
2005288079.tif 000002
【特許請求の範囲】
【請求項１】
腟内に挿入可能な挿入部と、この挿入部の根元から陰核方向に湾曲する橋絡部と、この橋絡部の先に設けられ陰核に当たる面が柔軟な素材から成る指圧部と、から成ることを特徴とする性感帯開発鍛練具。
【請求項２】
腟内に挿入可能な挿入部とこの挿入部の根元から陰核方向に湾曲する橋絡部とこの橋絡部の先に設けられ陰核に当たる面が柔軟な素材から成る指圧部とから成り、前記挿入部の内部にバイブレータが設けられている性感帯開発鍛練具。
【請求項３】
腟内に挿入可能な挿入部とこの挿入部の根元から陰核方向に湾曲する橋絡部とこの橋絡部の先に設けられ陰核に当たる面が柔軟な素材から成る指圧部とから成り、前記指圧部の内部にバイブレータが設けられている性感帯開発鍛練具。
【請求項４】
前記バイブレータの振動発生部分が偏心重錘を有するモータである、請求項２または請求項３に記載の性感帯開発鍛練具。
【請求項５】
前記挿入部は、腟の入口から上に３〜５センチ前後の距離にある前壁部分すなわちＧスポットに当たる押圧部を有するものである、請求項１または請求項２または請求項３に記載の性感帯開発鍛練具。
【請求項６】
前記挿入部の外表面が柔軟な素材で形成されている、請求項１または請求項２または請求項３に記載の性感帯開発鍛練具。
【請求項７】
前記挿入部の外表面が傾斜面で構成されている、請求項１または請求項２または請求項３に記載の性感帯開発鍛練具。
【請求項８】
前記挿入部の外表面に突起を有する、請求項１または請求項２または請求項３に記載の性感帯開発鍛練具。
【請求項９】
前記指圧部に突起を有する、請求項１または請求項２または請求項３に記載の性感帯開発鍛練具。
【請求項１０】
前記指圧部が前記挿入部に対して前記橋絡部の辺りで屈曲自在かつ陰核方向に付勢されるように設けられている、請求項１または請求項２または請求項３に記載の性感帯開発鍛練具。
【発明の詳細な説明】
【技術分野】
【０００１】  この発明は、夫婦生活を充実させるべく腟前壁部分の性感帯と陰核の性感帯とを同時に開発・鍛練するために開発された全く新しい性感帯開発鍛練具に関するものである。
【背景技術】
【０００２】  従来より夫婦生活を充実させる性感帯開発鍛練具として、陰茎を模した形状の腟内に挿入するタイプのものが用いられて来た。このものは陰茎状体の根元が握柄と成っており、ここを手で握って腟内に挿入するようにしている。なお陰茎状体の途中から陰核刺激用の腕が分岐して設けられているものもある。またこの内部にバイブレータが設けられており、腟内または陰核に振動刺激を加えられるタイプのものも提供されている。また陰茎状体がすり漕ぎ運動などの複雑な運動をする機構を備えたものもある。前記バイブレータは一般的に偏心重錘を有する小型のモータが設けられて成るものであり、このモータに電池とスイッチとが接続されている。更に前記モータの動きを細かく制御するためのコントローラが設けられているものもある。【０００３】  ところで腟は筒形状をしており、その入り口付近に腟括約筋があり、奥の方は伸縮性に富む袋のような形状をしている。そして興奮期には奥の方が広がることが医学的に知られている。このような腟自体の感覚は他の性感帯と比較してそれほど敏感ではないことが分かっているが、腟の入口から上に３〜５センチの距離にある前壁部分にとても重要な性感帯があることが体験的に広く知られており、これは一般的にＧスポットと呼称されている。
【特許文献１】特開２００３−０８８５６３号公報
【特許文献２】特表２００３−５１４６０８号公報
【非特許文献１】「男が知りたい女のからだ」、徳島逓信病院産婦人科医長河野美香著、ブルーバックス、ＩＳＢＮ−０６−２５７２５８−３、ｐ．１１６
【発明の開示】
【発明が解決しようとする課題】
【０００４】  しかしながら上述したような握柄を備えた陰茎状体では、必ず手で持って往復動作などの操作を行なう必要があり、片方の手が塞がるような状態となっているが、出来れば両手を空けておいてパートナーの身体を擦って上げたりすることに用いたいものである。なおかつこのような状態で腟内の性感帯と陰核の性感帯とを同時に開発・鍛練し得るものであることが望ましい。また更には腟前壁部分の性感帯と陰核の性感帯とを同時に開発・鍛練し得るものであることが望まれる。なお陰核で起こる感覚には特に強烈なものがあるため、これによって腟と陰核の両性感帯の開発・鍛練に相乗効果が期待出来る。【０００５】  また上述したように腟の入り口付近には腟括約筋があり、収縮運動を行なうことが知られている。これは随意筋であるから意識的に動かすことも可能である。従ってこのような腟括約筋の収縮運動を利用して人の手などに寄らない自律運動を行なわせることを可能にしたい。そしてこれが出来るのであれば、上述した腟前壁部分の性感帯と陰核の性感帯とを同時に開発・鍛練することに関しても自律的にこれを行なわせることが出来るはずである。【０００６】  従ってこの発明は、腟内に装着後は手を離すことが出来、腟内の性感帯と陰核の性感帯とを同時に刺激して、両者を同時にまた相乗効果的に開発・鍛練し得るような性感帯開発鍛練具を提供する。また特に腟前壁部分の性感帯と陰核の性感帯とを同時にまた相乗効果的に開発・鍛練し得るような性感帯開発鍛練具を提供する。更にこの発明は腟の構造や運動によくマッチして、意識的或いは無意識的な自律運動を行なうことを可能にする性感帯開発鍛練具を提供する。
【課題を解決するための手段】
【０００７】  上述した課題は、腟内に挿入可能な挿入部と、この挿入部の根元から陰核方向に湾曲する橋絡部と、この橋絡部の先に設けられ陰核に当たる面が柔軟な素材から成る指圧部と、から成る性感帯開発鍛練具とすることにより達成される。【０００８】  このように構成したので、腟内に挿入された挿入部と陰核に当たる指圧部とによって腟前庭等の陰部を挟み付けることに成る。これによって手を離してもこの装着状態を保つことが出来るのである。次に腟内に挿入された挿入部が直接的に腟壁に刺激を加えるため、腟内の性感帯の開発・鍛練が行なえる。また前記指圧部は陰核を刺激することになり、この刺激が更なる性刺激を導き出して、性感帯の開発・鍛練に相乗効果をもたらす。【０００９】  また上述した課題は、腟内に挿入可能な挿入部と、この挿入部の根元から陰核方向に湾曲する橋絡部と、この橋絡部の先に設けられ陰核に当たる面が柔軟な素材から成る指圧部とから成り、前記挿入部の内部にバイブレータが設けられている性感帯開発鍛練具とすることにより達成される。【００１０】  挿入部と橋絡部と指圧部とによる作用は上述した通りであるが、更に前記挿入部の内部にバイブレータが設けられていることによって、腟内に更に心地良い性刺激を与えることができる。従ってこれにより腟内の性感帯の開発・鍛練が行なえるのである。【００１１】  また上述した課題は、腟内に挿入可能な挿入部と、この挿入部の根元から陰核方向に湾曲する橋絡部と、この橋絡部の先に設けられ陰核に当たる面が柔軟な素材から成る指圧部とから成り、前記指圧部の内部にバイブレータが設けられている性感帯開発鍛練具とすることにより達成される。【００１２】  挿入部と橋絡部と指圧部とによる作用は上述した通りであり、前記指圧部は陰核を刺激するが、この内部にバイブレータが設けられていることによって、より心地良い性刺激を陰核に与えることが可能となる。この波及効果が腟にも及び、性感帯の開発・鍛練に役立つのである。【００１３】  請求項２の構成に於いてもまた請求項３の構成に於いても、前記バイブレータの振動発生部分が偏心重錘を有するモータであるものとすることができる。【００１４】  振動を発生させるには、回転する板バネをギヤの歯に打ち付ける機械式の振動発生機や、磁石とコイルとを組み合わせてコイルに交流電流を流す電気式の振動発生機などを任意に用いればよい。しかしながら構造の簡易さやコストなどの点からは偏心重錘を有するモータによる振動発生機がより優れている。【００１５】  さて請求項１乃至請求項３の性感帯開発鍛練具に於いて、前記挿入部は腟の入口から上に３〜５センチ前後の距離にある前壁部分すなわちＧスポットに当たる押圧部を有するものであるものとすることが出来る。【００１６】  この前壁部分の性感帯に付いて医学的に平均的な位置を求めると、腟の入口から上に３〜５センチ前後の距離にあると言うように個人差があることが知られている。従って前記挿入部にこの部位に当たる押圧部を設けることによりいわゆるＧスポットに集中的に刺激を与えることが出来るのであり、腟内の性感帯の開発・鍛練が行なえるのである。【００１７】  次に請求項１乃至請求項３の性感帯開発鍛練具に於いて、前記挿入部の外��面が柔軟な素材で形成されているものとすることが出来る。【００１８】  すなわち前記挿入部をシリコンゴムや軟質合成樹脂などで成型したり、或いは前記挿入部が硬質素材の物であっても、シリコンゴムや軟質合成樹脂などで被覆することによって腟壁に対する当たりをよりソフトなものとすることができる。なお前記指圧部に付いても同様の構成とすることができる。或いはこの性感帯開発鍛練具の外表面の全体を柔軟な素材で形成するようにしてもよい。【００１９】  次に請求項１乃至請求項３の性感帯開発鍛練具に於いて、前記挿入部の外表面が傾斜面で構成されているものとすることが出来る。傾斜面とは例えばウェーブ状面であったりテーパー状面であることを言う。【００２０】  挿入部が腟内に挿入されることによって腟は刺激を受けることになるが、腟に対する刺激は腟の入口付近の腟括約筋の収縮運動を助長する。特にバイブレータによる刺激はこの腟の収縮運動を更に加速させるものとなる。この場合腟は筒状体のまま収縮運動を行なうわけであるから、この収縮壁面が前記挿入部に運動を与えるが、この時前記挿入部の外表面が傾斜面で構成されているため、腟括約筋の収縮運動に伴なってこの傾斜面に力が加わり、挿入部は腟の長手方向へ自律的に運動することに成る。これによって単調な刺激ではなくなり、性感という面からより効果的な刺激が生まれるのである。従って性感帯の開発・鍛練により一層の効果が得られる。なお腟括約筋の収縮運動に伴なう前記挿入部の運動に連れて陰核に柔軟に当たっている前記指圧部も自律的な運動を行なうため、指圧部による陰核に対する性刺激も一段と増加する。従って上述した腟前壁部分の性感帯と陰核の性感帯とを同時に開発・鍛練することず出来ると共に相乗効果が得られることになる。なお腟括約筋は意識的に動かすことが可能であるから、性感帯開発鍛練具を意識的に動かすことも可能となっている。このような自律的な或いは意識的な運動は手を離していても行なわれる。【００２１】  次に請求項１乃至請求項３の性感帯開発鍛練具に於いて、前記挿入部の外表面に突起を有するものとすることが出来る。この場合の突起とは、極小さなドーム状、毛状、葉状等々の形状を有するもののことである。【００２２】  この突起の存在によって、腟壁に対する刺激に変化を加えることが出来るのであり、それは突起の形状によっても微妙に異なるであろう。【００２３】  次に請求項１乃至請求項３の性感帯開発鍛練具に於いて、前記指圧部に突起を有するものとすることが出来る。この場合の突起とは、前記挿入部の場合と同様で、極小さなドーム状、毛状、葉状等々の形状を有するもののことである。【００２４】  前記指圧部は陰核に当たる面が柔軟な素材から成るものであるため、陰核やその周辺部分をソフトに刺激することが出来る。この指圧部に柔軟な素材から成る突起を設けることによって、より優しく陰核やその周辺部分を刺激するようになるのである。【００２５】  次に請求項１乃至請求項３の性感帯開発鍛練具に於いて、前記指圧部が前記挿入部に対して前記橋絡部の辺りで屈曲自在かつ陰核方向に付勢されるように設けられているものとすることが出来る。【００２６】  上述したように、腟内に挿入された挿入部と陰核に��たる指圧部とにより腟前庭等の陰部を挟み付けることに成る。この装着の際に前記指圧部は陰核に対していきなりではなく、よりソフトに接触を開始することが望まれる。従って橋絡部の辺りで屈曲自在に設けられていれば、前記指圧部と前記挿入部との間を広げておいて挿入部を腟内に挿入し、その後陰核方向に付勢する力により指圧部を陰核にソフトに接触させることが可能となる。この橋絡部は独立した部品である場合の他にも、前記挿入部に属するものである場合、前記指圧部に属するものである場合、挿入部と指圧部との双方に属するものである場合等がある。従って例えば橋絡部が挿入部に属しており、挿入部がシリコンゴムから成型されているものでは、このゴム力によって屈曲自在であり、且つこのゴム力が指圧部を陰核方向に付勢することになる。
【発明の効果】
【００２７】  この発明の性感帯開発鍛練具は、腟内に挿入可能な挿入部と、この挿入部の根元から陰核方向に湾曲する橋絡部と、この橋絡部の先に設けられ陰核に当たる面が柔軟な素材から成る指圧部とから成るものであるため、腟内に挿入された挿入部と陰核に当たる指圧部とによって腟前庭等の陰部を挟み付けることに成り、これによって手を離してもこの装着状態を保つことが出来る。そして腟内に挿入された挿入部が直接的に腟壁に刺激を加えるため腟内の性感帯の開発・鍛練が行なえ、前記突起部が直接的に陰核を刺激するため陰核の性感帯の開発・鍛練が行なえ、この陰核刺激が更なる性刺激を導き出して、性感帯の開発・鍛練に相乗効果をもたらすのである。【００２８】  また前記挿入部が腟の入口から上に３〜５センチ前後の距離にある前壁部分すなわちＧスポットに当たるように構成することによって、特に腟前壁部分の性感帯と陰核の性感帯とを同時にまた相乗効果的に開発・鍛練することが出来るのである。【００２９】  また前記挿入部の外表面が傾斜面で構成されているものとすることによって、腟の入口付近の腟括約筋の収縮運動が前記挿入部の傾斜面に力に与えて、挿入部は腟の長手方向へ自律的に運動することに成る。なお同時にこの運動は指圧部にも動きを与えて陰核を刺激する。このように腟の構造や運動によくマッチして、この発明の性感帯開発鍛練具に自律運動を行なうことを可能にしている。自律運動と言うのは強制的なものとは異なり自然に生ずる運動であるから、より好ましいものであろう。
【発明を実施するための最良の形態】
【００３０】  以下この発明の実施形態を図面を参照しつつ説明するが、この発明はこれ等の実施形態に限定されるものではない。【００３１】  第１実施形態
図１乃至図４を用いてこの実施形態の性感帯開発鍛練具を説明する。このものは腟内に挿入される挿入部１と、この挿入部１の根元から陰核方向に湾曲する橋絡部２と、この橋絡部２の端部に設けられた陰核に対する指圧部３とから成り、挿入部１は腟の入口から上に３〜５センチ前後の距離にある前壁部分すなわちＧスポットに当たる押圧部１１を有している。また挿入部１の内部及び指圧部３の内部にバイブレータ４を備える。【００３２】  指圧部３はＡＢＳ樹脂製の基部３０と、この腕部３３と、基部３０に被せられたキャップ３４とから成り、腕部３３の先端部に設けた埋設片３５を以て柔軟なシリコンゴム製の挿入部１に固定されている。従って挿入部１の端部付近であって前記埋設片３５を受け入れている部位と前記腕部３３とを合わせて橋絡部２が構成されていると見て良いのである。また基部３０にはバイブレータ４と、電池ボックスを構成する接触片６，６０とこれ等を取り付けた装着枠３６と、接触片６，６０の間に納められた電池７と、スイッチ５とが収容されており、後述する挿入部１側のバイブレータ４とこの指圧部３側のバイブレータ４とは図示しない電線を以て電池７に対し並列接続されており、これ等のＯＮ／ＯＦＦ操作を前記スイッチ５で行ない得るように配線されている。このスイッチ５の操作片は基部３０外に出るように設けられている。【００３３】  挿入部１の表面部１０にはたくさんの突起１４が突設されている。また挿入部１の外形状であるが、図示した押圧部１１の手前側（腟前壁に当たる側）に比較的急なカーブの傾斜面１３が形成されており、図示した押圧部１１の置く側には比較的緩やかなカーブの傾斜面１２が形成されている。また挿入部１のほぼ中心部には空洞部１５が形成されており、その中に前記バイブレータ４が納められている。バイブレータ４はモータ４０の回転軸に重錘４１を偏心状態で取り付けて成るものである。【００３４】  次に図３は指圧部３を背面方向から見たものであるが、図２のバイブレータ４や接触片６，６０の上にカバー板３８を被せた状態を表わしている。このカバー板３８の一部は開口されており，ここから接触片６，６０間に電池７を着脱するようにする。なお符号３７はこのカバー板３８を基部３０に固定するためのネジ孔を指している。【００３５】  また図４は指圧部３を前面方向から見たものであるが、基部３０の外周を取り巻くようにして比較的丈の小さい突起３１が突設されており、その内側に設けた基部３９からは比較的丈の高い突起３２が突設されている。この基部３９と突起３２とは柔軟なシリコンゴム製に成るものである。【００３６】  さて、挿入部１が腟内に挿入されると、指圧部３はその突起３２の部分で陰核に接触する。橋絡部２のカーブ形状によって、腟内に挿入された挿入部１と陰核に当たる指圧部３とで腟前庭等の陰部を挟み付けることに成り、これにより手を離してもこの装着状態を保つことが出来るのである。なおこの際にシリコンゴム製の挿入部１の弾力性の故に橋絡部が指圧部３を陰核方向に付勢していると見ることも可能である。【００３７】  そこでスイッチ５をＯＮ状態にすると挿入部１内部のバイブレータ４と指圧部３内部のバイブレータ４とが振動を開始して、腟と陰核とに心地良い刺激が加えられる。女性の興奮期に於いて腟の入口付近の腟括約筋に収縮運動が起こると、図示のように挿入部１の周囲全体としてウェーブ状面を形成しているため腟壁の収縮運動が前記傾斜面１２，１３に作用してこれを押すことになる。従って挿入部１が腟壁の収縮運動に連れて腟の長手方向へ人の手を借りずとも自動的に運動するのである。このように腟の構造や運動によくマッチした形状と成っている。この作用によって前記突起３２が陰核をリズミカルにマッサージして陰核に刺激を与え、この波及効果として腟の性刺激が更に高まって行くことになる。【００３８】  なお挿入部１内部のバイブレータ４か指圧部３内部のバイブレータ４かの何れか一を省略する構成も可能である。あるいはそもそもバイブレータ４を用いない構成も可能である。【００３９】  第２実施形態
この実施形態の性感帯開発鍛練具は、図５で表わすように、挿入部１と指圧部３００との間が近くなる方向に付勢する構成として（指圧部３００を陰核方向へ敢えて付勢するためである）、橋絡部２に於いて挿入部１の端部と指圧部３００の基部３０に延設された腕部３０１とを、回動軸３０２を以て回動自在に、且つ回動軸３０２の回りに設けた図示しないコイルバネの作用によって指圧部３００を挿入部１方向に付勢するように設けている点に特徴を有する。なおこの性感帯開発鍛練具にはバイブレータは取り付けられていない。【００４０】  基部３０にはその外周を取り巻くようにして比較的丈の小さく、且つ基部３０と同一素材であるＡＢＳ樹脂製の突起３１が突設されており、その内側に設けたシリコンゴム製の基部３９からは、同一素材から成る比較的丈の高い突起３２が突設されている。また挿入部１の表面部１０にはたくさんの突起１４が突設されている。これは挿入部１と同一素材であるシリコンゴム製のものである。挿入部１の外形状であるが、図示した押圧部１１の手前側（腟前壁に当たる側）に比較的急なカーブの傾斜面１３が形成されており、図示した押圧部１１の置く側には比較的緩やかなカーブの傾斜面１２が形成されている。【００４１】  挿入部１が腟内に挿入されることにより腟は刺激を受けることになるが、腟に対する刺激は腟の入口付近の腟括約筋の収縮運動を助長する。またこの腟括約筋は意識的に動かすことが可能であるから、性感帯開発鍛練具を意識的に動かすことも可能となっている。このような自律的な或いは意識的な運動は手を離していても行なわれる。このようにして生じた運動は結果的に指圧部３００の突起３２による陰核へのリズミカルな刺激ともなるのである。なお挿入部１を腟内に挿入したり腟外に取り出す際には、前記回動軸３０２を以て指圧部３００を回動させて、指圧部３００を陰核から遠ざけるようにすることが出来る。【００４２】  第３実施形態
この実施形態の性感帯開発鍛練具は、図６で表わすように、挿入部１６と指圧部３０３との間が近くなる方向に付勢する構成として（指圧部３０３を陰核方向へ敢えて付勢するためである）、両者を弾性体である橋絡バー３０５で連絡する構成を採用したものである。挿入部１６は図示しない芯部の周りをラテックス製の外皮１７で被覆して成るものである。また基部３０にはその前面にウレタン樹脂製の発泡体３０４が貼付されている。【００４３】  この挿入部１６は、上述した第１及び第２実施形態のものとは異なって、腟の入口から上に３〜５センチ前後の距離にある前壁部分すなわちＧスポットに当たる押圧部を有してはいないが、更に腟の奥深くまで挿入可能となるように長尺に構成されている。また指圧部３０３に於いては、発泡体３０４が陰核にソフトに当たるように設計されている。なお橋絡バー３０５は弾力性を備えているため、挿入部１６と指圧部３０３との間を広げたり狭めたりすることが可能である。これによって挿入部１６の着脱時には指圧部３０３をよりソフトに陰核に当てたり慎重に陰核から離したりすることが出来る。
【産業上の利用可能性】
【００４４】  この他、第３実施形態で説明したような長尺な挿入部に、Ｇスポットに当たる押圧部を設けたものなども提供可能である。挿入部や指圧部や橋絡部の形状や、材質などに付いては任意に設計を変更することが出来る。なおバイブレータ等の電気部品や電源を内蔵するものでは、装置の全体に防水性を付与するような構成とすることも好ましい。
【図面の簡単な説明】
【００４５】
【図１】  第１実施形態の側面図である。
【図２】  同実施形態の内部構造の説明図である。
【図３】  同実施形態の指圧部を背面方向から見た説明図である。
【図４】  この指圧部を前面方向から見た説明図である。
【図５】  第２実施形態の側面図である。
【図６】  第３実施形態の側面図である。
【符号の説明】
【００４６】１      挿入部
１０    表面部
１１    押圧部
１２    傾斜面
１３    傾斜面
１４    突起
１５    空洞部
１６    挿入部
１７    外皮
２      橋絡部
３      指圧部
３０    基部
３１    突起
３２    突起
３３    腕部
３４    蓋体
３５    埋設片
３６    装着枠
３７    ネジ孔
３８    カバー板
３９    基部
３００  指圧部
３０１  腕部
３０２  回動軸
３０３  指圧部
３０４  発泡体
３０５  橋絡バー
４      収納容器
４０    モータ
４１    重錘
５      スイッチ
６      接触片
６０    接触片
７      電池
【図１】
2005288079.tif 000003
【図２】
2005288079.tif 000004
【図３】
2005288079.tif 000005
【図４】
2005288079.tif 000006
【図５】
2005288079.tif 000007
【図６】
2005288079.tif 000008